(57)【要約】【課題】  曲面の拡散・緩和装置を使用した際、光源ムラが起こらず、正確なライティングを簡便に行うことができ、しかも動画撮影にも適用できるストロボ装置を提供することを目的としている。【解決手段】  動画を含む写真撮影用のストロボ装置において、自然かつ柔和な面光源を得るために使用する拡散・緩和装置を、ストロボ装置１２の中央に、前後に平行移動できるように設置し、照明効果を確認するためにＬＥＤライト３を支柱孔１を囲むように配置し、動画撮影用にも応用できるストロボ装置。【選択図】図１
2015118158.tif 000002
【特許請求の範囲】
【請求項１】
写真撮影や動画撮影に用いられるストロボ装置において、容積の大部分を占める蓄電器を複数に分割し、装置の中心部に空隙をつくり、該中心部に面光源発生装置、及び拡散板を支える支柱孔を有することを特徴とするストロボ装置。
【請求項２】
前記ストロボ装置の支柱孔の周辺部にＬＥＤライトを複数個配置し、ストロボ撮影時の照明効果を常時正確に確認できることを可能にしたことを特徴とする請求項１に記載のストロボ装置。
【請求項３】
請求項２に記載のストロボ装置において、照明効果を確認するために設置したＬＥＤライトは、動画撮影用のＬＥＤライトとして機能し、該ＬＥＤライトを静止画撮影用のストロボと容易に切り替えることを可能にした静止画と動画を同時に撮影できることを特徴としたストロボ装置。
【発明の詳細な説明】
【技術分野】
【０００１】
本発明は、高品位な動画、静止画を含む写真（以下写真）の撮影に、より自然な照明を正確かつ簡易に施すことができるストロボ装置に関するものである。
【背景技術】
【０００２】
人口光源を用いて写真撮影を行う場合、より自然な撮影結果を得るためには、太陽光の持つ面光源（被写体より大きく均一な光）に近づける必要があり、そのために撮影者は、傘状の反射体（アンブレラ）や、同心円上に三次曲面を持つ反射体（リフレクタ）をストロボ装置に取り付ける必要がある。
その場合、照射角度を調節するために、発光装置と反射体との距離を自由に平行移動させられる必要があるので、反射体を支える棒状の芯（シャフト）が移動可能な状態で取り付ける必要がある。
さらに、反射体は同心円上の三次曲面であるために、発光装置は同心円の中心と垂直に交わる線上に配置されるのが理想的である。
通常、スタジオ用閃光発生装置（ストロボ）には、モデリングライトと呼ばれる照明確認用の電球（主にハロゲンランプ）が、装置の中央に１灯取り付けられている。
従来技術としては、閃光を発する軸状の光源と、前記光源からの閃光を照射対象に向けて反射するための本体反射面を有する反射傘本体と、前記本体反射面の両側開口部を閉塞する側方反射面を有する側方反射体と、を備え、前記光源と本体反射面の間の光軸上の相対距離を調整することにより、前記光源からの前記本体反射面を介した反射光の前記照射対象に対する照射角度を調整可能としたストロボ装置であって、前記光源の軸芯に直交する方向の前記本体反射面の断面形状が略放物線形状に形成され、かつ、前記光源の軸芯に沿う方向の前記本体反射面の両端と前記光源との距離は、前記光源の軸芯に沿う方向の前記本体反射面の両端以外の箇所における前記光源との距離よりも短く設定されていることを特徴とするストロボ装置（例えば、特許文献１を参照）が存在している。
【先行技術文献】
【特許文献】
【０００３】
【特許文献１】特開２００８−８９９５１号公報（特許請求の範囲の欄、発明の詳細な説明、及び図１〜図６を参照）
【発明の開示】
【発明が解決しようとする課題】
【０００４】
しかし、反射体をスライド可能な状態で保持するための空隙（支柱孔）を、高電圧が掛かる精密装置の中央に設けることは至難であったために、同心円の中心からずれたところから発光させざるを得ず、光束が偏芯し、被写体に光量ムラが発生するという問題があった。
また、モデリングライトは、白熱灯（ハロゲンランプ）であるために、装置の高温化、消費電力の増大は避けられない問題や、モデリングライトは、白熱灯であるために、反応速度が遅く、シャッターを切るタイミングに、消灯・点灯が間に合わず、ストロボ撮影時にも、点灯しっぱなしにならざるを得ないので、ストロボ光の出力を下げ、モデリングライトと同程度の明るさになると、光源色が被写体に色かぶりを起こすという問題があった。
さらに、モデリングライトは、白熱灯であるために、消費電力の大きい割に、さほど明るくなく、色温度も低いので、動画撮影には不向きであった。
本発明は、上記課題を解消したストロボ装置を提供することを目的としている。
【課題を解決するための手段】
【０００５】
本発明の第１発明は上記課題を解決したものであり、請求項１に記載した通りのストロボ装置であり、次のようなものである。
写真撮影や動画撮影に用いられるストロボ装置において、容積の大部分を占める蓄電器を複数に分割し、装置の中心部に空隙をつくり、該中心部に面光源発生装置、及び拡散板を支える支柱孔を有する構成である。
【０００６】
本発明の第２発明は上記課題を解決したものであり、請求項２に記載した通りのストロボ装置であり、次のようなものである。
請求項１に記載の発明に加えて、前記ストロボ装置の支柱孔の周辺部にＬＥＤライトを複数個配置し、ストロボ撮影時の照明効果を常時正確に確認できることを可能にした構成である。
【０００７】
本発明の第３発明は上記課題を解決したものであり、請求項３に記載した通りのストロボ装置であり、次のようなものである。
請求項２に記載のストロボ装置において、照明効果を確認するために設置したＬＥＤライトは、動画撮影用のＬＥＤライトとして機能し、該ＬＥＤライトを静止画撮影用のストロボと容易に切り替えることを可能にした静止画と動画を同時に撮影できる構成、つまりモデリングライトを、ＬＥＤライトに変更することで、ストロボが光るタイミングに合わせて瞬時に、消灯・点灯ができるので、撮影時に光源色の色かぶりを起こすことがないストロボ装置であり、また消費電力が少なく、色温度を自在に調整でき、高輝度化されたＬＥＤを複数配置することにより、動画撮影も行うことができるストロボ装置である。
【発明の効果】
【０００８】
本発明に係るストロボ装置は、上記説明のような構成を有するので、以下に記載する効果を奏する。
（１）従来技術ではストロボ装置の機能を奏するために、モデリングライト、閃光発生管、反射鏡、蓄電器から構成され、しかも、コンパクトに構成する必要があるため、中心部分に１つの蓄電器が配置されている。このため同心円状のアンブレラ等の反射体を設けるには、中心には取り付けられず、どうしても偏芯して取り付けなければならない。そのために光の均一性が得られないという問題を本発明は解決したもので、照明光の均一性が増し、被写体に、より高品位なライティングを施すことができる。特に、近距離での光源ムラを解消し、光の均一性が高まるので、撮影可能範囲が拡がるものである。
（２）フラッシュ発光時にモデリングライトを消灯できるので、モデリングライトの色かぶりを防ぐことができる。
（３）写真（静止画）と動画をそれぞれに、かつ、同時に撮ることができる。
【図面の簡単な説明】
【０００９】
【図１】本発明の第一実施例であるストロボ装置の構成を示すもので、（ａ）は平面図、（ｂ）は正面図、（ｃ）は背面図、（ｄ）は底面図である。
【図２】本発明の効果的な使用法を示す発光部の応用例を示すものであり、（ａ）は円状に曲げた発光管を２本にして、発光管の外周にもＬＥＤを施した第二実施例の平面図、（ｂ）は発光管を直管にして、製作費の削減を狙った第三実施例の平面図、（ｃ）は、筐体を四角にして、発光管の外周にもＬＥＤを施した第四実施例の平面図、（ｄ）は筐体を六角にして、小型の発光管を採用した第五実施例の平面図、（ｅ）は出力を下げ、小型の発光管を採用した第六実施例の平面図、（ｆ）は出力を下げて筐体を小型化し、円状に曲げた発光管を採用した第七実施例の平面図である。
【図３】本発明の蓄電器の配列例を示すものであり、（ａ）は蓄電器を変形させた実施例の平面図、（ｂ）は蓄電器を３本にし、空間に余裕を持たせた実施例の平面図である。
【図４】本発明の照明光の均一性が高まる効果を示す状況説明図であり、（ａ）は従来の方法で、光軸が偏芯するので正確な照明ができない状態を示す説明図、（ｂ）は本発明の実施例で、光軸が真芯を捉えるので正確な照明ができる状態を示す説明図、（ｃ）は本発明の発光装置を反射面に近づけると照明範囲が広くなる状態を示す説明図、（ｄ）は本発明の発光装置を反射面から遠ざけると照明範囲が狭くなる状態を示す説明図、（ｅ）は本発明の発光装置で、二次反射面を使う方法（通称：オパライト）にも有効であることを示す説明図、（ｆ）は本発明の発光装置で、半透過性の拡散板（ディフューザ）を使う方法にも有効であることを示す説明図である。
【発明を実施するための形態】
【００１０】
本発明は、写真撮影や動画撮影に用いられるストロボ装置で、容積の大部分を占める蓄電器を複数に分割し、ストロボ装置の中心部に空隙を作り、該中心部に設けた支柱孔の周辺部にＬＥＤライトを複数個配置し、静止画と動画を同時に撮影することができるストロボ装置である。
【実施例】
【００１１】
本発明のストロボ装置の具体的な実施例を図面に基づいて詳細に説明する。
図１に示すものは、ストロボ装置の一実施例で、蓄電器４を４ヶに分割して中心部に空隙を設けたもので、この中心部に反射体８、例えば同心円状の三次曲面を持つアンブレラ等を支持した支柱６を挿入固定できるように支柱孔１が形成されたものである。
前記ストロボ装置の発光部は、支柱孔１（中心）から同心円状になるように光源を複数個均等に配置するか、光源が閃光発光管２で単数の場合は、円状に曲げることで同等の効果を得ることができる。また、複数の場合にも同様に円状に曲げることも考えられる。
さらに、照明効果の確認用と動画撮影に使用するＬＥＤライト３も同様に、支柱孔１から同心円状になるように複数個均等に配置する。その範囲は、ストロボ発光管を越えた位置に配置することも使用状態によっては必要である。
なお、図中５は支柱留具、７は反射鏡を示すものである。
【００１２】
次に、図２に基づいて発光部の効果的な具体的手段について、いくつかの実施例について説明する。
図２（ａ）に示すものは、筐体は円筒状で閃光発光管２を２本にして円状に折り曲げた閃光発光管２で、この閃光発光管２の外周にもＬＥＤライト３を施した第二実施例で、容積の大部分を占める蓄電器を複数に分割し、ストロボ装置の中心部に空隙を作るものである。
次に、図２（ｂ）に示すものは、閃光発光管２を直管にして、製作費の削減を奏した具体的な第三実施例であり、結果として製造費が安価になり、閃光発光管２が壊れ難い特徴がある。
図２（ｃ）に示すものは、筐体を四角形にして、閃光発光管２の外周にもＬＥＤライト３を施した第四実施例で、図２（ｂ）で示したものと同様に、製造費が安価になり、閃光発光管２が壊れ難い特徴がある。
図２（ｄ）に示すものは、筐体を六角形にして、小型の閃光発光管２を採用した第五実施例であり、図２（ｂ）で示したものと同様に製造費が安価になり、閃光発光管が壊れ難い特徴がある。
図２（ｅ）に示すものは、筐体を矩形にして、出力を下げた小型の閃光発光管２を採用した第六実施例である。
図２（ｆ）に示すものは、筐体を小型の円筒形にして出力を下げた一本の閃光発光管２を円状に曲げて採用した第七実施例である。この小型化したストロボ装置は、持ち運びに便利で、カジュアルに使用することができるものである。
【００１３】
次に、本発明のストロボ装置の蓄電器の配列実施例について図３に基づいて説明する。
図３（ａ）に示すものは、蓄電器４を変形させて小判状にして２個配置し、間に支柱を支持挿入できる支柱孔１を中に形成した実施例である。
また、図３（ｂ）に示すものは、蓄電器４を３本にして、中心の空隙部に余裕を持たせ、支柱６の強度を上げるために太くしたものにも対応できるものである。
【００１４】
次に、本発明における照明光の均一性を高める効果を示す状況を、従来例と比較しながら説明する。
図４（ａ）に示したものは、従来のストロボ装置１２で、反射体の支柱をストロボ装置にセットすると、どうしても中心に取り付けられなく、光軸が偏芯してしまうので、正確な照明ができていない状態を示すものであり、図４（ｂ）に示したものは、本発明のストロボ装置であり、反射体の支柱を中心に取り付けられるので、光軸が真芯で捉えることができるので、正確な照明を行うことができる状態を示している。
図４（ｃ）に示すものは、本発明のストロボ装置を反射体の反射面に近づけることで照明範囲が広くなることを示すものである。図４（ｄ）に示すものは、本発明のストロボ装置を反射体の反射面から遠ざけると照明範囲が狭くなることを示すもので、図４（ｃ）、図４（ｄ）からも理解できるように、被写体の位置、状況等に対応することが簡単にできるものである。
図４（ｅ）に示すものは、本発明のストロボ装置に一次反射鏡９と二次反射面１０（通称：オパライトという。）を利用する方法にも有効に機能するものである。
また、図４（ｆ）に示すものは、半透過性の拡散板（ディフューザ）１１を使用する方法も有効である。
【産業上の利用可能性】
【００１５】
ストロボ装置だけでなく、撮影用の照明装置全般に応用することができるものである。
【符号の説明】
【００１６】
１・・・・支柱孔
２・・・・閃光発光管
３・・・・ＬＥＤライト
４・・・・蓄電器
５・・・・支柱留具
６・・・・支柱
７・・・・反射鏡
８・・・・同心円状の三次曲面を持つ反射体（アンブレラ等）
９・・・・一時反射鏡
１０・・・・二次反射面
１１・・・・半透過性の拡散板（ディフューザ）
１２・・・・ストロボ装置
【図１】
2015118158.tif 000003
【図２】
2015118158.tif 000004
【図３】
2015118158.tif 000005
【図４】
2015118158.tif 000006